(57)【要約】【課題】等身大で、人間に近い姿勢を取ることができ、被疑者の供述通りに犯行状況を正確に再現することができる犯罪事件再現用マネキンを提供する。【解決手段】胴部１３と、この胴部に股関節部１４を介して連結された左右一対の屈伸可能な膝関節部１６を有する脚部１５と、胴部に肩関節部１９を介して連結された左右一対の屈伸可能な肘関節部２１を有する腕部２０と、胴部に首部２４を介して前後・左右に回動可能に連結された頭部２５とからマネキン本体１１が構成され、マネキン本体は、関節部１４，１６，１９，２１から屈曲可能な剛性を有する骨格部２６と、この骨格部を覆う発泡ウレタン層２７と、この発泡ウレタン層を覆う表皮部２８とから等身大に構成されたことを特徴とする。【選択図】図１
0003123102.tif 000002
【実用新案登録請求の範囲】
【請求項１】
胴部と、この胴部に股関節部を介して連結された左右一対の屈伸可能な膝関節部を有する脚部と、前記胴部に肩関節部を介して連結された左右一対の屈伸可能な肘関節部を有する腕部と、前記胴部に首部を介して前後・左右に回動可能に連結された頭部とからマネキン本体が構成され、
前記マネキン本体は、前記関節部から屈曲可能な剛性を有する骨格部と、この骨格部を覆う発泡ウレタン層と、この発泡ウレタン層を覆う表皮部とから等身大に構成されたことを特徴とする犯罪事件再現用マネキン。
【請求項２】
前記左右一対の脚部には足首関節部を介して足部が、前記左右一対の腕部には手首関節部を介して屈伸可能な五指が設けられていることを特徴とする請求項１記載の犯罪事件再現用マネキン。
【請求項３】
前記マネキン本体は、股関節部、膝関節部を屈曲して立て膝姿勢、正座姿勢保持、しゃがむ姿勢、椅子に着席姿勢保持可能であることを特徴とする請求項１記載の犯罪事件再現用マネキン。
【請求項４】
前記マネキン本体には、足首及び手首を緊縛することが可能な緊縛帯が付属品として設けられていることを特徴とする請求項１記載の犯罪事件再現用マネキン。
【請求項５】
マネキン本体と、このマネキン本体を直立姿勢あるいはしゃがみ姿勢に支持するスタンドからなり、前記マネキン本体は、胴部と、この胴部に股関節部を介して連結された左右一対の屈伸可能な膝関節部を有する脚部と、前記胴部に肩関節部を介して連結された左右一対の屈伸可能な肘関節部を有する腕部と、前記胴部に首部を介して前後・左右に回動可能に連結された頭部とから構成され、
前記マネキン本体は、前記関節部から屈曲可能な剛性を有する骨格部と、この骨格部を覆う発泡ウレタン層と、この発泡ウレタン層を覆う表皮部とから等身大に構成され、
前記スタンドは、前記マネキン本体の身長、姿勢に応じて伸縮可能な支柱を有していることを特徴とする犯罪事件再現用マネキン。
【考案の詳細な説明】
【技術分野】
【０００１】
この考案は、例えば、性犯罪事件の捜査で、再現・見分等の際に用いる犯罪事件再現用マネキンに関する。
【背景技術】
【０００２】
強姦、強制わいせつ等の性犯罪事件、幼女等の年少者を対象とする性犯罪事件の被疑者を捜査する際、捜査員が調書を取るためには、犯罪状況を正確に知る必要があると共に、被害者からも被害状況を正確に知る必要がある。
【０００３】
そこで、従来においては、犯罪状況を再現・見分する際に人形を用い、被疑者の供述に沿って人形の手足を被害者に見立てて動かして姿勢を再現したり、被害者の被害状況を実際に人形を用いて再現することが行われる。
【考案の開示】
【考案が解決しようとする課題】
【０００４】
しかし、事件の特殊性から人形では手足の動きの範囲が規制され、人形に被疑者の供述通りの姿勢を取らせることはできず、犯行状況を正確に再現することができないという事情がある。また、年少者を対象とする性犯罪事件の場合、年少者である被害者から被害状況を聞き出す際にも被害者に負担を掛けている。
この考案は、前記事情に着目してなされたもので、その目的とするところは、等身大で、人間に近い姿勢を取ることができ、被疑者の供述通りに犯行状況を正確に再現したり、被害状況を再現することができる犯罪事件再現用マネキンを提供することにある。
【課題を解決するための手段】
【０００５】
この考案は、前述した目的を達成するために、請求項１は、胴部と、この胴部に股関節部を介して連結された左右一対の屈伸可能な膝関節部を有する脚部と、前記胴部に肩関節部を介して連結された左右一対の屈伸可能な肘関節部を有する腕部と、前記胴部に首部を介して前後・左右に回動可能に連結された頭部とからマネキン本体が構成され、前記マネキン本体は、前記関節部から屈曲可能な剛性を有する骨格部と、この骨格部を覆う発泡ウレタン層と、この発泡ウレタン層を覆う表皮部とから等身大に構成されたことを特徴とする犯罪事件再現用マネキンにある。
請求項２は、請求項１の前記左右一対の脚部には足首関節部を介して足部が、前記左右一対の腕部には手首関節部を介して屈伸可能な五指が設けられていることを特徴とする。
請求項３は、請求項１の前記マネキン本体は、股関節部、膝関節部を屈曲して立て膝姿勢、正座姿勢保持、しゃがむ姿勢、椅子に着席姿勢保持可能であることを特徴とする。
請求項４は、請求項１の前記マネキン本体には、足首及び手首を緊縛することが可能な緊縛帯が付属品として設けられていることを特徴とする。
請求項５は、マネキン本体と、このマネキン本体を直立姿勢あるいはしゃがみ姿勢に支持するスタンドからなり、前記マネキン本体は、胴部と、この胴部に股関節部を介して連結された左右一対の屈伸可能な膝関節部を有する脚部と、前記胴部に肩関節部を介して連結された左右一対の屈伸可能な肘関節部を有する腕部と、前記胴部に首部を介して前後・左右に回動可能に連結された頭部とから構成され、前記マネキン本体は、前記関節部から屈曲可能な剛性を有する骨格部と、この骨格部を覆う発泡ウレタン層と、この発泡ウレタン層を覆う表皮部とから等身大に構成され、前記スタンドは、前記マネキン本体の身長、姿勢に応じて伸縮可能な支柱を有していることを特徴とする犯罪事件再現用マネキンにある。
【考案の効果】
【０００６】
この考案によれば、等身大で、人間に近いリアリティーの姿勢を取ることができ、被疑者の供述通りに犯行状況を正確に再現したり、被害状況を再現することができ、しかも軽量で取り扱いが容易であるという効果がある。
【考案を実施するための最良の形態】
【０００７】
以下、この考案の実施の形態を図面に基づいて説明する。
【０００８】
図１は犯罪事件再現用マネキンを示し、マネキン本体１１と、このマネキン本体１１を直立状態またはしゃがみ姿勢状態に支持するスタンド１２とから構成されている。マネキン本体１１について説明すると、両肩部、胸部、腹部、腰部及び背部を有する胴部１３が設けられている。この胴部１３には股関節部１４を介して左右一対の脚部１５が連結されている。股関節部１４は脚部１５を前後に回動可能及び開脚可能であり、脚部１５は屈伸可能な膝関節部１６及び足首関節部１７を介して足部１８が設けられている。
【０００９】
図２及び図３に示すように、胴部１３の両肩部には肩関節部１９を介して左右一対の腕部２０が前後及び左右に回動可能に連結されている。腕部２０には肘関節部２１が設けられていると共に、腕部２０には手首関節部２２を介して屈伸可能な五指２３が設けられている。さらに、胴部１３には首部２４を介して頭部２５が前後・左右に回動可能であると共に、首振り可能に設けられている。
【００１０】
肩関節部１９について説明すると、図５に示すように、マネキン本体１１の肩部１１ａには角穴１１ｂを有する腕取付け部１１ｃが設けられている。腕部２０の付け根部２０ａには円盤２０ｂが回転自在に設けられ、この円盤２０ｂには角穴１１ｂに挿入係合される角柱状の突起部２０ｃが突設されている。そして、突起部２０ｃを角穴１１ｂに挿入係合することにより、腕部２０がマネキン本体１１の腕取付け部１１ｃに着脱可能に取付けられ、腕部２０は円盤２０ｂの回転によって前後方向に回動するようになっている。
このように構成されたマネキン本体１１は、剛性を有する骨格部２６を有しており、この骨格部２６は例えばアルミニウム合金等の軽量合金によって一体もしくは連結して構成されている。すなわち、前記腰部、股関節部１４、膝関節部１６、足首関節部１７、肩関節部１９、肘関節部２１、手首関節部２２及び首部２４は、合金自体を屈曲するか、もしくは関節機構によって屈曲可能に構成されている。
【００１１】
また、骨格部２６の外側には骨格部２６を包むように発泡ウレタン層２７が設けられている。この発泡ウレタン層２７は人体の筋肉部となる部分であり、人体を象ったキャビティを有する金型内に骨格部２６をセットした状態で、ウレタン樹脂を金型内で発泡させて形成されている。さらに、発泡ウレタン層２７の外周面には混紡生地等によって覆われて表皮部２８が形成されている。
【００１２】
このように構成された犯罪事件再現用マネキンは、等身大、例えば、大人用の場合には、身長が１６０ｃｍ、体重が５ｋｇ、子供用の場合には、身長が１３３ｃｍ、体重が３．５ｋｇであり、持ち運びが容易である。さらに、図２に示すように、腰部１３ａにはスタンド受け部としての係合受け部２９が設けられている。一方、前記スタンド１２は、ベース３０と、このベース３０に立設された支柱３１とからなり、支柱３１の上端部には湾曲部３２が設けられている。湾曲部３２の先端部には係合受け部２９と係合する係合部３３が設けられている。
【００１３】
そして、犯罪事件再現用マネキンの係合受け部２９をスタンド１２の係合部３３に係合すると、スタンド１２に犯罪事件再現用マネキンを直立状態に支持して保管できるようになっている。
スタンド１２の支柱３１は、図４に示すように、しゃがみ姿勢用の短い支柱３５と直立姿勢用の長い支柱３６の用意され、それぞれ支柱本体部３５ａ，３６ａと伸縮部３５ｂ，３６ｂを有し、支柱本体部３５ａ，３６ａに対して伸縮部３５ｂ，３６ｂを上下方向に伸縮調節して締付けねじ３５ｃ，３６ｃで固定できるようになっている。従って、マネキン本体１１をしゃがみ姿勢状態に支持する場合には短い支柱３５を使用し、直立状態に支持する場合には長い支柱３６を使用する。また、大人用、子供用のマネキンの場合には、しゃがみ姿勢、直立姿勢のいずれにおいても高さが異なるが、伸縮部３５ｂ，３６ｂを上下方向に伸縮して調節できる。
【００１４】
また、足首関節部１７及び手首関節部２２には足首及び手首を緊縛することが可能な緊縛帯３４（図４参照）が付属品として取付けられている。緊縛帯３４は、帯体の片面にマジックテープ（登録商標）を貼り合せたもので、足首及び手首を簡単に緊縛することができるようになっている。なお、緊縛帯３４は、一般的な布帯、布紐でもよい。
従って、強姦、強制わいせつ等の性犯罪事件の被疑者を捜査する際には、被疑者の自供を捜査員が文書として正確に記録する必要がある。しかし、自供だけでは犯罪状況を正確に把握して文書として記録することは困難である。そこで、捜査員が被疑者に対して犯罪事件再現用マネキンを手渡して犯罪状況を再現させる。
【００１５】
例えば、被疑者が被害者の頭部を抱えて押えたと供述したとすれば、犯罪事件再現用マネキンを被害者に見立てて被疑者に実際にどの程度、被害者の頭部を抱えて押えたかを再現させる。このとき、マネキン本体１１は、首部２４を介して頭部２５が前後・左右に回動可能であるため、図３に示すように、被疑者が実際に頭部２５を抱えて押え、頭部２５を前後・左右に動かすことにより、その度合いを正確に把握して文書として記録することが可能である。
また、被疑者が被害者を立て膝にし、両手首を後ろ手にして緊縛した状態で、被害者に強姦、強制わいせつ等の性犯罪行為を行ったと供述したとする。この場合、被疑者は、図６に示すように、マネキン本体１１の膝関節部１６を屈曲して立て膝姿勢にするとともに、マネキン本体１１の肩関節部１９を屈曲して両腕部２０を胴部１３の後ろに回し、手首関節部２２を緊縛帯３４を用いて緊縛することにより、捜査員は、緊縛までの状況を正確に把握することができる。また、被疑者は、被害者をこの状態にして強姦、強制わいせつ等の性犯罪行為を行った場合には、その行為状況を被疑者に再現させることにより、性犯罪行為の状況を文書として記録することが可能である。
この場合、マネキン本体１１は等身大、例えば、身長が１６０ｃｍであるにも拘らず体重が５ｋｇであり、軽量で持ち運び・取り扱いが容易である。また、マネキン本体１１の骨格部２６が発泡ウレタン層２７によって覆われ、さらにその外周面が混紡生地等の表皮部２８によって覆われているため、取り扱い時の感触も優れている。
なお、犯罪事件再現用マネキンを被害者に見立てて被疑者に再現させる二つの例を述べたが、強姦、強制わいせつ等の性犯罪行為には、有りとあらゆる行為が想定される。しかし、マネキンの各関節部は任意に屈曲できるため、被疑者の供述に沿ってマネキンの頭部、手足を被害者に見立てて動かして姿勢を再現でき、また繰り返し使用できる。
また、この考案は、大人に限らず、子供用のマネキンにも適用でき、幼女等の年少者を対象とする性犯罪事件の被疑者を捜査する際にも利用でき、とくに被害者から被害状況を聞き出す際にも被害者の負担を軽減できる。
【図面の簡単な説明】
【００１６】
【図１】この考案の第１の実施形態の犯罪事件再現用マネキンの一部切欠した正面図。
【図２】同実施形態のマネキンの腰部分を示す斜視図。
【図３】同実施形態のマネキンの頭部を後方へ押え付けた状態を示す斜視図。
【図４】同実施形態のスタンドの正面図。
【図５】同実施形態のマネキンの肩部を示す斜視図。
【図６】同実施形態のマネキンを立て膝姿勢にし、両手首を後ろ手にして緊縛した状態の斜視図。
【符号の説明】
【００１７】
１１…マネキン本体、１３…胴部、１４…股関節部、１５…脚部、１６…膝関節部、１７…足首関節部、１９…肩関節部、２０…腕部、２１…肘関節部、２２…手首関節部、２３…五指、２４…首部、２５…頭部、２６…骨格部、２７…発泡ウレタン層、２８…表皮部、３４…緊縛帯
【図１】
0003123102.tif 000003
【図２】
0003123102.tif 000004
【図３】
0003123102.tif 000005
【図４】
0003123102.tif 000006
【図５】
0003123102.tif 000007
【図６】
0003123102.tif 000008